(57)【特許請求の範囲】
【請求項１】
立面分割式窓戸の窓枠のうち第１横ばりに取り付けられる熱交換モジュールと、
前記第１横ばりの一方側の面に配設される第２横ばりに取り付けられる吸気モジュールと、
前記第１横ばりの他方側の面に配設される第３横ばりに取り付けられる排気モジュールと、
を備え、
前記熱交換モジュールは、室外から流入した外気を前記排気モジュールに供給し、前記吸気モジュールが吸入した内気を受け取って室外に排出し、外気と内気との間の熱交換を行うが、外気と内気とが混合されていない状態で熱交換を行うことを特徴とする窓戸用の換気装置。
【請求項２】
前記熱交換モジュールと前記吸気モジュールとの間には、前記吸気モジュールが吸入した内気を前記熱交換モジュールに案内するとともに、前記熱交換モジュールと前記吸気モジュールとを連結する吸気連結モジュールがさらに配設されることを特徴とする請求項１に記載の窓戸用の換気装置。
【請求項３】
前記熱交換モジュールと前記排気モジュールとの間には、前記熱交換モジュールから前記排気モジュールに外気を案内するとともに、前記熱交換モジュールと前記排気モジュールとを連結する排気連結モジュールがさらに配設されることを特徴とする請求項１に記載の窓戸用の換気装置。
【請求項４】
前記熱交換モジュールは、前記内気と外気との間の熱交換のための熱交換素子を備え、
前記外気は、前記熱交換モジュールに流入してから前記熱交換素子に流入する前に外気用フィルターを経ながら浄化されることを特徴とする請求項１に記載の窓戸用の換気装置。
【請求項５】
前記内気は、前記熱交換モジュールに流入してから前記熱交換素子に流入する前に内気用フィルターを経ながら浄化されることを特徴とする請求項４に記載の窓戸用の換気装置。
【請求項６】
前記吸気モジュールにおいては、内気の吸入が、前記吸気モジュールの長手方向に沿って並べられた複数の個所において行われることを特徴とする請求項１に記載の窓戸用の換気装置。
【請求項７】
前記排気モジュールにおいては、外気の排出が、前記排気モジュールの長手方向に沿って並べられた複数の個所において行われることを特徴とする請求項１に記載の窓戸用の換気装置。
【請求項８】
前記排気連結モジュールは、
前記外気の移動路に設けられる連結ダクトと、
前記連結ダクトを覆うように前記窓枠に着脱自在に取り付けられるカバーと、
を備えることを特徴とする請求項３に記載の窓戸用の換気装置。
【請求項９】
前記カバーは、前記熱交換モジュールの作動および停止を操作するためのボタンと関連電子部品を内蔵し、且つ、前記熱交換モジュールに伝わる外気および内気の量を操作するためのボタンと関連電子部品を内蔵することを特徴とする請求項８に記載の窓戸用の換気装置。
【発明の詳細な説明】
【技術分野】
【０００１】
本発明は換気装置に係り、さらに詳しくは、窓枠に設けられて室内の空気を室外に排出し、且つ、室外の空気を室内に流入させ、室外に排出される空気と室内に流入する空気との熱交換を行うことのできる窓戸用の換気装置に関する。
【背景技術】
【０００２】
一般に、室内の空気に含まれている二酸化炭素の含量は、生命体の呼吸によって経時的に次第に増大される。また、増大された二酸化炭素の含量は、生命体の呼吸に支障を来たすため、室内の空気は室外の新鮮な空気に随時置き換えられなければならない。このために、住居用建物やオフィス建物などにおいては、窓戸を開閉するなどして換気を行ったり、または、住居用建物やオフィス建物などに室内の汚染された空気を換気させるための別途の換気システムを備えており、換気システムには天井型および窓戸型がある。
【０００３】
ところが、窓戸を開閉するなどして換気を行う場合には、外部の騒音および汚染物質が外部空気とともに流入するなどの問題があり、天井型換気システムの場合には、室内の天井などに予め施工されている吸気ダクトおよび排気ダクトと連結されるように設ける必要があるため、天井などに換気システムを設けるためのダクトをさらに施工することを余儀なくされるという問題があり、窓戸型換気システムの場合には、既存の建物の窓戸に別途の設置空間を形成せねばならないという問題がある。
【０００４】
また、室内の空気が強制的に室外に排出され、室外の空気が室内に流入する場合に、室内の空気と室外の空気との熱交換が行われなければ、室内の暖房または冷房に余計なコストがかかるという問題があり、しかも、室内の急激な温度変化によってその内部にいる者が不快に感じるという問題もある。
【発明の概要】
【発明が解決しようとする課題】
【０００５】
本発明は上記事情に鑑みてなされたものであり、その目的は、室内から室外に排出される空気と室外から室内に流入する空気との熱交換を行うとともに、従来の換気手段が有する問題を解消し、特に、別途の設置空間を必要としない窓戸用の換気装置を提供することである。
【課題を解決するための手段】
【０００６】
上記の目的を達成するために、本発明は、立面分割式窓戸の窓枠のうち第１横ばりに取り付けられる熱交換モジュールと、前記第１横ばりの一方側の面に配設される第２横ばりに取り付けられる吸気モジュールと、前記第１横ばりの他方側の面に配設される第３横ばりに取り付けられる排気モジュールと、を備え、前記熱交換モジュールは、室外から流入した外気を前記排気モジュールに供給し、前記吸気モジュールが吸入した内気を受け取って室外に排出し、外気と内気との間の熱交換を行うが、外気と内気とが混合されていない状態で熱交換を行うことを特徴とする窓戸用の換気装置を提供する。
【０００７】
前記熱交換モジュールと前記吸気モジュールとの間には、前記吸気モジュールが吸入した内気を前記熱交換モジュールに案内するとともに、前記熱交換モジュールと前記吸気モジュールとを連結する吸気連結モジュールがさらに配設され、前記熱交換モジュールと前記排気モジュールとの間には、前記熱交換モジュールから前記排気モジュールに外気を案内するとともに、前記熱交換モジュールと前記排気モジュールとを連結する排気連結モジュールがさらに配設される。
【０００８】
前記熱交換モジュールは、前記内気と外気との間の熱交換のための熱交換素子を備え、前記外気は、前記熱交換モジュールに流入してから前記熱交換素子に流入する前に外気用フィルターを経ながら浄化され、前記内気は、前記熱交換モジュールに流入してから前記熱交換素子に流入する前に内気用フィルターを経ながら浄化される。
【０００９】
前記吸気モジュールにおいては、内気の吸入が、前記吸気モジュールの長手方向に沿って並べられた複数の個所において行われ、前記排気モジュールにおいては、外気の排出が、前記排気モジュールの長手方向に沿って並べられた複数の個所において行われる。
【００１０】
前記排気連結モジュールは、前記外気の移動路に設けられる連結ダクトと、前記連結ダクトを覆うように前記窓枠に着脱自在に取り付けられるカバーと、を備え、前記カバーは、前記熱交換モジュールの作動および停止を操作するためのボタンと関連電子部品を内蔵し、且つ、前記熱交換モジュールに伝わる外気および内気の量を操作するためのボタンと関連電子部品を内蔵する。
【発明の効果】
【００１１】
本発明によれば、室内から室外に排出される空気と室外から室内に流入する空気との熱交換が行われながら換気が行われ、熱交換モジュール、吸気モジュール、排気モジュールおよびこれらを連結する連結モジュールのそれぞれが独立して窓枠の横ばりに着脱自在に取り付けられるので、各モジュールをメンテナンスが行い易く、しかも、メンテナンスにかかるコストが節減される。
【００１２】
また、換気装置において室内の空気が流入する吸気モジュールと外部の空気が室内に排出される排気モジュールとの距離を大幅に隔てて、室内に流入した空気が直ちに外部に排出されることを防ぐことにより、換気効果が長時間持続するという効果が得られる。
【図面の簡単な説明】
【００１３】
【図１】本発明に係る窓戸用の換気装置が取り付けられた立面分割式窓戸を示す部分斜視図である。
【図２】図１に示す窓戸用の換気装置の分解斜視図である。
【図３】図２に示す窓戸用の換気装置の熱交換ユニットを示す斜視図であって、熱交換ユニットの下面が除去された状態を示すものである。
【図４】図３に示す熱交換ユニットのファンカバーを示す斜視図である。
【図５】図２に示す窓戸用の換気装置の熱交換ユニットを横に切った後に上部から眺めた部分断面図である。
【図６】図５に示す熱交換ユニットの変形例を示す部分断面図である。
【図７】図５に示す熱交換ユニットの変形例を示す部分断面図である。
【図８】図１に示す窓戸用の換気装置の熱交換モジュールが第１横ばりに取り付けられた状態を示す部分縦断面図である。
【図９】図８に示す第１横ばりに設けられるダクト、ダンパーおよびフードを示す斜視図である。
【図１０】図１に示す窓戸用の換気装置の排気モジュールを下部から眺めた部分斜視図である。
【図１１】図１に示す窓戸用の換気装置の排気モジュールを上部から投影して眺めた部分斜視図である。
【図１２】図１に示す窓戸用の換気装置の排気モジュールが第３横ばりに取り付けられた状態を示す部分縦断面図である。
【図１３】図１に示す窓戸用の換気装置の排気モジュールを示す部分斜視図である。
【発明を実施するための形態】
【００１４】
以下、添付図面に基づき、本発明に係る窓戸用の換気装置の好適な実施形態について詳述する。以下で用いられる用語や単語は通常的または辞書的な意味に限定して解釈されてはならず、発明者は、自分の発明を最良の方法により説明するために用語の概念を適切に定義することができるという原則に即して、本発明の技術的思想に見合う意味と概念として解釈されるべきである。
【００１５】
先ず、窓戸枠には、横方向および縦方向に枠体が所定の間隔を隔てて形成されており、このとき、窓戸枠の横方向部材を以下では横ばりと称し、窓戸枠の縦方向部材を以下では縦仕切りと称する。
【００１６】
図１を参照すると、立面分割式窓戸の中央部に第１横ばり１１０が配設され、前記第１横ばりの両側には第２横ばり１３０および第３横ばり１４０が配設され、これらの間に縦方向に多数の縦仕切り１６０、１７０が配設される。また、本発明に係る窓戸用の換気装置は、上記の横ばりまたは縦仕切りに配設されてもよく、図１には、一つの実施形態として、本発明に係る窓戸用の換気装置が横ばりに取り付けられている場合が示されているが、縦仕切りやその他の第１横ばりに取り付けられてもよいことはいうまでもない。
【００１７】
図１に示すように、本発明に係る窓戸用の換気装置は、熱交換モジュール２００、吸気モジュール３００、排気モジュール４００、吸気連結モジュール５００および排気連結モジュール６００を備える。吸気連結モジュール５００は、熱交換モジュールと前記吸気モジュールとを連結し、排気連結モジュール６００は、熱交換モジュールと排気モジュールとを連結する。
【００１８】
以下、先ず、本発明の一実施形態に係る窓戸用の換気装置の構成について説明する。
【００１９】
図２は、窓戸用の換気装置の分解斜視図であり、図３は、図２に示す窓戸用の換気装置の熱交換ユニットを示す斜視図であって、熱交換ユニットの下面が除去された状態を下側から眺めた様子を示すものである。同図を参照すると、窓戸用の換気装置の熱交換モジュール２００は、熱交換ユニット２１０および蓋体２５０を備える。熱交換ユニット２１０は、図３に示すように、ケース２１２と、前記ケース２１２にそれぞれ収容される外気用フィルター２２２と、内気用フィルター２２４と、熱交換素子２２６、２２８と、内気用ファン２３６と、外気用ファン２３８と、ファンカバー２３０と、を備える。
【００２０】
ケース２１２の側面には、室外の空気（外気）がケース２１２の内部に流入可能に外気流入ダクト２１４が形成され、ケース２１２の内部に流入した外気がケース２１２の外部に排出可能に外気排出ダクト２２０が形成され、室内の空気（内気）がケース２１２の内部に流入可能に内気流入ダクト２１６が形成され、流入した内気がケース２１２の外部に排出可能に内気排出ダクト２１８が形成される。また、ケース２１２の内部に配設された外気用フィルター２２２、内気用フィルター２２４および全熱交換素子が簡単に取り替えられるように開閉または着脱可能な扉（図示せず）が形成される。
【００２１】
一方、図２に示すように、熱交換ユニット２１０が第１横ばり１１０に取り付けられたときに外気流入ダクト２１４および内気排出ダクト２１８は第１横ばり１１０の内部に挿入され、内気流入ダクト２１６は吸気モジュールが配設される方向を向き、外気排出ダクト２２０は排気モジュール４００が配設されている方向を向く。
【００２２】
前記外気用フィルター２２２は、ケース２１２の内部に流入した外気を浄化するためのものである。このため、外気用フィルター２２２は、外気がケース２１２の内部に流入した直後または外気がケース２１２の外部に排出される直前に浄化されるように設けられる。しかしながら、ケース２１２の内部に流入した外気がそのまま熱交換素子２２６、２２８を通過する場合に、熱交換素子２２６、２２８が閉塞される虞があるため、外気用フィルター２２２は、外気がケース２１２の内部に流入した直後に浄化されるように設けられることが好ましい。この場合、外気用フィルター２２２は、図３に示すように、外気流入ダクト２１４と第１熱交換素子２２６との間に設けられる。
【００２３】
内気用フィルター２２４は、ケース２１２の内部に流入した内気を浄化するためのものである。
【００２４】
ケース２１２の内部に流入した内気がそのまま熱交換素子２２６、２２８を通過する場合に、熱交換素子２２６、２２８が閉塞される虞があるため、内気用フィルター２２４が設けられる。
【００２５】
内気用フィルター２２４は、内気がケース２１２の内部に流入した直後に浄化されるように設けられる。すなわち、内気用フィルター２２４は、内気流入ダクト２１６と第１熱交換素子２２６との間に設けられる。
【００２６】
熱交換素子は、ケース２１２に流入した内気と外気との熱交換を行うためのものであり、第１熱交換素子２２６および第２熱交換素子２２８を備える。このとき、第１熱交換素子２２６および第２熱交換素子２２８は、外気と内気とがケース２１２の内部において混合されないように設けられる。２つの熱交換素子がケース２１２の内部に設けられる場合に、第１および第２熱交換素子２２６、２２８は両方とも顕熱交換素子であってもよく、両方とも全熱交換素子であってもよく、顕熱交換素子および全熱交換素子の組み合わせであってもよい。また、熱交換時間を十分に保障するために、両方のうちの少なくとも一方は六角柱状（図５における符号２２６）に形成されることが好ましい。しかしながら、本発明はこれに何ら限定されるものではなく、図６に示すように、両熱交換素子２２６、２２８が両方とも四角柱状に形成されてもよい。なお、熱交換素子の数も２つに限定されるものではなく、図７に示すように、単一の全熱交換素子のみ設けられてもよく、場合によって３つ以上が設けられてもよい。
【００２７】
内気用ファン２３６は、内気を流入させ、内気排出ダクト２１８を介してケース２１２の外部に排出するために設けられ、外気用ファン２３８は、外気を外気流入ダクト２１４を介してケース２１２の内部に流入させ、外気排出ダクト２２０を介してケース２１２の外部に排出するために設けられる。ファンカバー２３０は、内気用ファン２３６および外気用ファン２３８を覆うように設けられる。ファンカバー２３０には、第２熱交換素子２２８を通過した外気と内気とが互いに混合されないように、図４に示すように、隔壁２３２が形成されている。
【００２８】
図５から図７は、本発明に係る窓戸用の換気装置の熱交換ユニットを横に切った後に上部から眺めた部分断面図の種々の実施形態を示すものである。
【００２９】
同図を参照すると、ケース２１２の下面には、前記ケース２１２の内部を流動する外気または内気を案内するガイドウィング２２７が設けられることが好ましい。前記ガイドウィング２２７は、外気用フィルター２２２と第１熱交換素子２２６との間、および第１熱交換素子２２６と第２熱交換素子２２８との間に設けられて外気および内気の流れを案内する。ガイドウィング２２７は所定の高さに形成され、所定の曲率を有する曲線状を呈し、ケース２１２の側面が位置する方向に膨らんだ円弧状に設けられる。
【００３０】
内気用ファン２３６および外気用ファン２３８が作動すれば、外気は外気流入ダクト２１４を介して室外からケース２１２の内部に流入した後に外気用フィルター２２２を経て第１熱交換素子２２６に流入し、内気は内気流入ダクト２１６を経てケース２１２の内部に流入する。このために、内気流入ダクト２１６には内気案内管２１６ａが連結されており、内気流入ダクト２１６を通過して流入した内気を前記内気用フィルター２２４の手前の空間Ｓに案内する。前記内気案内管２１６ａは、図５から図７に点線にて示されている。また、ケースの内部に流入した内気は、内気用フィルター２２４を経て第１熱交換素子２２６に流入する。次いで、内気と外気とは第１熱交換素子において混合されることなく全熱または顕熱を交換した後に第２熱交換素子２２８に流入し、第２熱交換素子２２８において混合されることなく全熱または顕熱を交換した後にファンカバー２３０の内部に流入する。次いで、内気および外気は混合されることなく内気用ファン２３６および外気用ファン２３８をそれぞれ経る。次いで、内気は内気排出ダクト２１８を介して室外に排出され、外気は外気排出ダクト２２０を介して室内に排出されて室内空気の換気が行われる。図３、図５から図７において、外気の流れは実線にて示し、内気の流れは点線の矢印にて示す。
【００３１】
本発明に係る窓戸用の換気装置の熱交換モジュールは、熱交換ユニット２１０を取り囲むために蓋体２５０を備える。図８を参照すると、前記蓋体は、上部および前面部を覆う第１カバー２５２、下部を覆う第２カバー２５６および背面部の一部を覆う第３カバー２５８を備える。
【００３２】
前記第１カバー２５２は、略「フ」字状の断面を有し、第１横ばり１１０と掛合するフック２５３を一方の端に有する。第３カバー２５８は、略「Ｌ」字状の断面を有し、第１横ばり１１０と掛合するフック２５９を一方の端に有する。
【００３３】
第２カバー２５６は、略一字状の断面を有し、第３カバー２５８と接触する一方の端と、第１カバー２５２と掛合するフック２５７を有する反対端と、を備える。前記蓋体２５０がこのような構成を有する場合に、ユーザーは、前記第２カバー２５６を外し、前記ケース２１２の下面に設けられた扉（図示せず）を開いた後に外気用フィルター２２２、内気用フィルター２２４および全熱交換素子を取り替えることができる。
【００３４】
一方、前記第１カバー２５２の内面には、図８に示すように、衝撃吸収部材２５４が設けられる。前記衝撃吸収部材２５４は、熱交換モジュール２００に加えられる物理的な衝撃から熱交換ユニット２１０を保護し、内気用ファン２３６および外気用ファン２８３から発生する騒音が室内に漏れることを防ぐ。
【００３５】
以下、前記熱交換モジュール２００付き第１横ばり１１０について、図８および図９に基づいて説明する。
【００３６】
前記第１横ばり１１０には、一対の中空部が形成され、前記一対の中空部には、一対のダクト１１２がそれぞれ挿入される。前記一対のダクト１１２は、外気流入ダクト２１４および内気排出ダクト２１８をそれぞれ収容し、その一方の端にはボルト孔１１６付きフランジ１１４が形成される。
【００３７】
前記フランジ１１４には、熱交換ユニット２１０を支持するためのけた１２０が取り付けられる。
【００３８】
けた１２０は、略「Ｌ」字状を呈し、ボルト１１８によってフランジ１１４に固定される。前記ボルト１１８は、けた１２０を貫通して前記ボルト孔１１６に嵌合される。
【００３９】
このとき、けた１２０の幅は、外気用フィルター２２２、内気用フィルター２２４および全熱交換素子の取り替えを妨げない程度に形成される。前記けた１２０の内面には、衝撃吸収部材１２２が設けられる。前記衝撃吸収部材１２２は、熱交換モジュール２００に加えられる物理的な衝撃から熱交換ユニット２１０を保護し、内気用ファン２３６および外気用ファン２８３から発生する騒音が室内に漏れることを防ぐ。
【００４０】
前記ダクト１１２の端部のうち、フランジ１１４が形成されている端部とは反対となる端部には、下向きの開口を有するフード１２６が設けられる。
【００４１】
このようにして設けられるフード１２６は、雨や雪がダクト１１２の内部に流入することを防ぐ。一方、フード１２６の開口には、網１２８が設けられることが好ましい。
【００４２】
前記網１２８は、落ち葉などの浮遊物がダクト１１２の内部に流入することを防ぐ。
【００４３】
前記ダクト１１２の開口のうち、フード１２６が設けられる方向にある開口には、強い風がいきなり室内に流入することを防ぐダンパー１２４が設けられる。前記ダンパー１２４は、図８および図９に示すように、ダクト１１２と略平行に伸びていて、ダクト１１２から外れたときに下方に曲がって伸びる。
【００４４】
室外からフード１２６の内部に強い風が流入すると、ダンパー１２４が風力によって回転し、これにより、ダクト１１２が密閉される。次いで、風が弱くなると、ダンパー１２４は自重によって反対方向に回転し、これにより、ダクト１１２が開かれる。
【００４５】
本発明に係る窓戸用の換気装置の前記排気モジュール４００は、熱交換ユニット２１０から外気を受け取って室内に排出するためのものであって、図１０から図１３に示すように、上部部材４１０、中間部材４３０および下部部材４５０を備える。上部部材４１０は、第３横ばり１４０と掛合するフック４１２を一方の端に有し、第３横ばり１４０と接触する側面４１４を有する。
【００４６】
中間部材４３０は、上部部材４１０と掛合するフック４３６を一方の端に有し、前記上部部材４１０と部分的に接触する。前記上部部材４１０と中間部材４３０との結合が完了すれば、外気の通路４０２が形成される。また、前記中間部材４３０には、第３横ばり１４０の長手方向に沿って並べられ、第３横ばり１４０の長手方向に垂直な方向に沿って伸びる複数のガイダー（図１１における符号４３４）が形成され、前記ガイダー４３４の間には外気排出口４３２が形成されて、外気の通路４０２に沿って第３横ばり１４０の長手方向に沿って移動していた外気はガイダー４３４によって方向が切り換えられた後に外気排出口４３２を通過して室内に流入する。一方、前記外気排出口４３２は、排気モジュール４００の全長に亘って形成される。
【００４７】
下部部材４５０は、中間部材４３０と掛合するフック４５２を有し、上部部材４１０と掛合するフック４５４を有し、且つ、第３横ばり１４０と部分的に接触する上面４５６を有する。前記下部部材４５０は、ボルト４７０によって第３横ばり１４０に固定される。
【００４８】
前記排気連結モジュール６００は、図２に示すように、連結アダプター６２０、連結ダクト６１０およびカバー６３０を備える。連結アダプター６２０は、排気モジュール４００と連結ダクト６１０とを連結しやすくするためのものであり、排気モジュール４００の外気通路４０２に挿入される一方の端と連結ダクト６１０に挿入される反対端とを備える。
【００４９】
連結ダクト６１０は、熱交換モジュール２００から受け取った外気を排気モジュール４００に伝えるためのものであり、連結アダプター６２０の反対端を収容する一方の端と、外気排出ダクト２２０を収容する反対端と、を備える。カバー６３０は、連結アダプター６２０および連結ダクト６１０を覆うためのものであり、窓枠に着脱自在に取り付けられる。なお、前記カバー６３０は、外気用ファン２３８および内気用ファン２３６の作動、停止、風量などの調節を司るボタン６３２と関連電子部品を備える。
【００５０】
本発明に係る窓戸用の換気装置は、図２および図３に示すように、吸気モジュール３００を備える。前記吸気モジュール３００は、室内から内気を受け取って前記熱交換ユニット２１０に伝えるためのものであり、基本的には、上部部材、中間部材および下部部材を備える点で、上述した排気モジュール４００の構成と同様である。このため、重複する説明を避けるために、前記吸気モジュールについての詳細な説明を省く。
【００５１】
また、本発明に係る窓戸用の換気装置には、前記熱交換モジュール２００と前記吸気モジュール３００とを連結する吸気連結モジュール５００が設けられる。前記吸気連結モジュール５００もまた、基本的に、アダプター、連結ダクトおよびカバーを備える点で排気連結モジュールの構成と同様であるため、重複する説明を避けるために、吸気連結モジュールについての詳細な説明を省く。
【００５２】
以上、前記熱交換モジュール２００は立面分割式窓戸の第１横ばり１１０に取り付けられ、吸気モジュール３００は立面分割式窓戸の第２横ばり１３０に取り付けられ、前記排気モジュール４００は立面分割式窓戸の第３横ばり１４０に取り付けられることについて説明した。しかしながら、熱交換モジュール、排気モジュールまたは吸気モジュールの配置はこれに何ら限定されるものではなく、前記熱交換モジュール、吸気モジュールおよび排気モジュールが縦仕切りに設けられてもよく、これらの配置位置が変わってもよいなど状況に応じて種々に調節可能である。
【００５３】
本発明は、このように排気モジュールと吸気モジュールとの距離を大幅に隔てることにより、換気装置において室内の空気が吸気モジュールに流入した後に隣り合う排気モジュールに直ちに排出されることを防いでいる。すなわち、室内に流入した空気が直ちに外部に排出されることを防ぐことにより、換気効果を長時間持続することができる。
【００５４】
以上、本発明はたとえ限定された実施形態及び図面によって説明されたが、本発明はこれに何ら限定されるものではなく、本発明が属する技術分野において通常の知識を有する者によって本発明の技術思想と後述する特許請求の範囲の均等範囲内において種々に修正及び変形可能であるということはいうまでもない。
【符号の説明】
【００５５】
１１０：第１横ばり
１１２：ダクト
１１４：フランジ
１１６：ボルト孔
１１８：ボルト
１２０：けた
１２２：衝撃吸収部材
１２４：ダンパー
１２６：フード
１２８：網
１３０：第２横ばり
１４０：第３横ばり
１５０：縦仕切り
１６０：縦仕切り
１７０：縦仕切り
２００：熱交換モジュール
２１０：熱交換ユニット
２１２：ケース
２１４：外気流入ダクト
２１６：内気流入ダクト
２１８：内気排出ダクト
２２０：外気排出ダクト
２２２：外気用フィルター
２２４：内気用フィルター
２２６：第１熱交換素子
２２７：ガイドウィング
２２８：第２熱交換素子
２３０：ファンカバー
２３２：隔壁
２３６：内気用ファン
２３８：外気用ファン
２５０：蓋体
２５２：第１カバー
２５４：衝撃吸収部材
２５６：第２カバー
２５８：第３カバー
３００：吸気モジュール
４００：排気モジュール
４１０：上部部材
４０２：外気の通路
４３０：中間部材
４３２：外気排出口
４３４：ガイダー
４５０：下部部材
４７０：ボルト
５００：吸気連結モジュール
６００：排気連結モジュール
６１０：連結ダクト
６２０：連結アダプター
６３０：カバー
６３２：ボタン
【図１】
0005741880.tif 000002
【図２】
0005741880.tif 000003
【図３】
0005741880.tif 000004
【図４（ａ）】
0005741880.tif 000005
【図４（ｂ）】
0005741880.tif 000006
【図５】
0005741880.tif 000007
【図６】
0005741880.tif 000008
【図７】
0005741880.tif 000009
【図８】
0005741880.tif 000010
【図９】
0005741880.tif 000011
【図１０】
0005741880.tif 000012
【図１１】
0005741880.tif 000013
【図１２】
0005741880.tif 000014
【図１３（ａ）】
0005741880.tif 000015
【図１３（ｂ）】
0005741880.tif 000016